(57)【要約】【課題】下障子の開閉時に異音を発生せず、開閉操作の操作性を向上させた。【解決手段】上げ下げ窓は、枠体内に固定した上障子と移動可能な下障子４を備えた。枠体の縦枠８，９に凹溝６０と下障子４の移動をガイドするガイド溝１５を形成した。下障子４に設けた本体部５６にラッチ部材５７とロック部材５８を設けた。ラッチ部材５７はコイルばね６６の付勢力で前方に突出して縦枠の凹溝６０やガイド溝１５に係脱可能なラッチ部６２ａを有するラッチ板６２とラッチ芯金６１を一体形成した。ラッチ芯金６１は本体部に形成したラッチ受け部６４で進退可能に保持させる。ラッチ部材５７の裏面に突部を設けてラッチ部材をラッチ受け部６４の裏面に遊びがないように当接させ、下障子４を回動する際に付勢力でラッチ部６２ａが凹溝６０やガイド溝１５を係脱しても異音がしない。ロック部材５８は凹溝６０内のロック受け部７０に係脱可能に進退して施錠する。【選択図】図５
2019108796.tif 000002
【特許請求の範囲】
【請求項１】
建物開口部に設けた枠体内の一方に設けた固定障子と他方に設けていて移動可能な可動障子とを備えた建具であって、
前記枠体の縦枠に形成されていて前記可動障子を閉鎖位置に保持する凹溝と、
前記枠体の縦枠に形成されていて前記可動障子の移動をガイドするガイド溝と、
前記可動障子に設けていて該可動障子を前記ガイド溝に係脱可能に支持するラッチ部材と、
前記ラッチ部材を前記ガイド溝に係脱するよう進退可能に支持するラッチ受け部と、
前記ラッチ部材とラッチ受け部の一方に設けていて前記ラッチ部材をラッチ受け部に当接させる突部と、
を備えたことを特徴とする建具。
【請求項２】
前記凹溝に形成したロック受け部と、
前記可動障子に設けていて前記凹溝に対して進退可能であって進出位置で前記ロック受け部を乗り越える先端面を備えたロック部材と、を備え、
前記ロック部材の先端面は略コの字状に折り曲げて肉厚部が先端面に形成した凸曲部の一部または別個の凸曲部とされ、前記凸曲部または別個の凸曲部は前記ロック受け部を乗り越えて係合するようにした請求項１に記載された建具。
【請求項３】
前記ラッチ部材において、前記ガイド溝に係止するラッチ部が半径７ｍｍ以上の凸曲面状を有している請求項１または２に記載された建具。
【請求項４】
前記ロック部材は先端面の後方に形成した側面に前記ロック受け部を係合することでロックするようにした請求項２に記載された建具。
【発明の詳細な説明】
【技術分野】
【０００１】
本発明は、住宅やビル等の各種建物の開口部の枠体に取り付けられた上げ下げ窓等の建具に関する。
【背景技術】
【０００２】
従来、建物の開口部に取り付けた枠体内に上障子と下障子を収納して、上障子を固定保持し、下障子を上下動可能にして開口可能な上げ下げ窓が知られている。このような上げ下げ窓の一例として例えば特許文献１に記載されたものが提案されている。この上げ下げ窓は障子の閉鎖状態で枠体内に上障子と下障子とが上下方向に平面状に配設されており、左右の縦枠の室内側に形成したガイド溝は、下端部から上方に向けて斜め方向に傾斜する傾斜溝と上下方向に延びる直線溝とを有している。そして、下障子はガイド溝に沿って開閉作動する。  
【０００３】
特許文献１に記載された従来の上げ下げ窓１００は、図１２（ａ）に示すように、下障子１０１のロック機構として、下障子１０１の上框に形成した本体部１０２に摺動可能に設けていて縦枠１０３の凹溝１０３ａ内のフック状のロック受け部１０８にロック可能なロック部材１０５と、弾性によって片１０３ｄとガイド溝１０３ｂとの間で係脱可能なラッチ部材１０６とを左右両側に有している。
【０００４】
ロック部材１０５は、操作部１０９をスライド操作することで凹溝１０３ａ内のロック受け部１０８に対して挿脱し、ロック（施錠）とその解除を行う。ロック部材１０５の先端部は、図１２（ｂ）に示すように、中央の凸曲部１０５ａと高さの低い端部角部１０５ｂとの２段形状を備えていて、ロック部材１０５を凹溝１０３ａ内に進出させて凸曲部１０５ａと端部角部１０５ｂがロック受け部１０８を乗り越えて弾性変形させてロック部材１０５の側面に係合することでロックされる。
ロック部材１０５は補強のために鋼板を断面略コの字状に折り曲げて形成し、しかも先端面はプレス加工で凸曲部１０５ａを形成するため、折り曲げ部に板厚分の端部角部１０５ｂが形成され、角ばっている上にバリ等があった。
【０００５】
また、図１３（ａ）、（ｂ）に示すように、ラッチ部材１０６は本体部１０２に形成した断面略Ｌ字状の一対のラッチ受け部１０７に進退可能に保持されたラッチ芯金１０６ａを有しており、スムーズな装着と操作のためにラッチ受け部１０７とラッチ芯金１０６ａとの間に例えば０．１５ｍｍ程度の微細な隙間ｔを遊びとして形成している。
そして、閉鎖状態にある下障子１０１を開放作動する際に、ロック部材１０５を凹溝１０３ａから引き抜いてロックを解除し、下障子１０１を屋内側に倒すと、ラッチ部材１０６がばねの付勢力に抗して凹溝１０３ａから後退して係合を解除し、ガイド溝１０３ｂに移動して再び係合させる。次いで、下障子１０１を持ち上げることで、下障子１０１はガイド溝１０３ｂに沿って上障子側に上昇して開口状態になる。
【先行技術文献】
【特許文献】
【０００６】
【特許文献１】特開２０１２−１８９７号公報
【発明の概要】
【発明が解決しようとする課題】
【０００７】
しかしながら、特許文献１に記載されたような従来の上げ下げ窓１００では、ラッチ部材１０６とラッチ受け部１０７との間に微細な隙間ｔの遊びがあるため、下障子１０１を開閉操作する際にラッチ部材１０６が縦枠の凹溝１０３ａとガイド溝１０３ｂとの間を移動して係脱し、凹溝１０３ａやガイド溝１０３ｂを仕切る縦枠に衝突してガチャガチャと異音が発生し、操作者等に耳障りで不快感を与える欠点があった。
また、ラッチ部材１０６は、ラッチ部の先端形状が中央平面の両側に比較的小径（例えば半径７ｍｍ未満）の凸曲部を形成したため、凹溝１０３ａやガイド溝１０３ｂ内に落ち込むために移動がスムーズでなく衝撃音が発生する欠点があった。
【０００８】
また、下障子１０１は、上障子と平面をなす閉鎖位置で凹溝１０３ａ内にロック部材１０５を挿入してロック受け部１０８とロックさせるが、ロック部材１０５の端部角部１０５ｂがロック受け部１０８を乗り越える際に端部角部１０５ｂと擦れて抵抗が大きく、開閉操作に大きな力を要する欠点があった。
【０００９】
しかも、閉鎖時に下障子１０１の框部が縦枠１０３に設けた気密保持用のパッキンの弾性によって反発するため、この点でもロック部材１０５の端部角部１０５ｂがロック受け部１０８を乗り越えにくかった。その上、ロック部材１０５の先端部が２段形状になっているため、中央の凸曲部１０５ａを乗り越えて２段目の端部角部１０５ｂにロック受け部１０８が当接・嵌合したときに段差によるクリック感が生じ、ロック位置に至らない位置で下障子１０１が閉鎖位置でロックされたと操作者が誤解することがあった。この場合、下障子１０１の閉鎖が不十分で気密性と断熱性を確保できないという欠点があった。
【００１０】
本発明は、このような課題に鑑みてなされたものであって、下障子の開閉時に異音を発生せず、開閉操作を確実に実行できるように操作性を向上させた建具を提供することを目的とする。
また、本発明の他の目的は、ロック部材が先端面の肉厚に関わらずスムーズにロック受け部とロックできるようにした建具を提供することである。
【課題を解決するための手段】
【００１１】
本発明による建具は、建物開口部に設けた枠体内の一方に設けた固定障子と他方に設けていて移動可能な可動障子とを備えた建具であって、枠体の縦枠に形成されていて可動障子を閉鎖位置に保持する凹溝と、枠体の縦枠に形成されていて可動障子の移動をガイドするガイド溝と、可動障子に設けていて該可動障子をガイド溝に係脱可能に保持するラッチ部材と、ラッチ部材をガイド溝に係脱するよう進退可能に支持するラッチ受け部と、ラッチ部材とラッチ受け部の一方に設けていてラッチ部材をラッチ受け部に当接させる突部と、を備えたことを特徴とする。
本発明によれば、可動障子を閉鎖位置と開放させるガイド溝との間で移動させる際、ラッチ部材はガイド溝に係脱する際にラッチ受け部に保持されて進退するが、ラッチ部材は突部によってラッチ受け部に当接していて遊びがないため、ラッチ部材はガイド溝に係脱する際に縦枠に衝突等してもがたつかず移動がスムーズで異音の発生を防止できる。
【００１２】
また、凹溝に形成したロック受け部と、可動障子に設けていて凹溝に対して進退可能であって進出位置でロック受け部を乗り越える先端面を備えたロック部材と、を備え、ロック部材の先端面は略コの字状に折り曲げて肉厚部が先端面に形成した凸曲部の一部または別個の凸曲部とされ、凸曲部または別個の凸曲部はロック受け部を乗り越えて係合することが好ましい。
本発明では、可動障子のロック部材を凹溝内のロック受け部にロックする際、ロック部材の先端面に形成した肉厚部をなす中央の凸曲部の一部または別個の端部の凸曲部がロック受け部を乗り越えるため、引っかかりをなくしてスムーズにロックできる。
【００１３】
また、ラッチ部材において、ガイド溝に係止するラッチ部が半径７ｍｍ以上の凸曲面状を有していることが好ましい。
ラッチ部材のラッチ部を半径の大きな凸曲面状に形成したため、ガイド溝に係止及び離脱する際に大きな落ち込みがなくスムーズに係合及び離脱することができる。
【００１４】
また、ロック部材は先端面の後方に形成した側面にロック受け部を係合することでロックするようにしてもよい。
ロック部材の先端面を１または複数段の凸曲面状に形成する際、その先端面に加工によるバリ等が生じていてもその後方の側面にロック受け部を係合するため、パッキンの反発があっても可動障子の閉鎖位置でロック部材をロックでき、しかもロック部材のロックとその解除がスムーズに行える。
【発明の効果】
【００１５】
本発明による建具によれば、ラッチ部材とラッチ受け部の一方に設けた突部によってラッチ部材をラッチ受け部に当接させるため、ラッチ部材を縦枠の凹溝とガイド溝との間で回動させて開閉作動する際に凹溝やガイド溝の枠部に係脱させても遊びによる異音が発生することはなく、スムーズに開閉操作できる。
【図面の簡単な説明】
【００１６】
【図１】本発明の実施形態による上げ下げ窓の正面図である。
【図２】図１に示す上げ下げ窓の枠体を除いた上下障子とバランサーを示す説明図である。
【図３】図１に示す上げ下げ窓のＡ−Ａ線縦断面図である。
【図４】図３に示す上げ下げ窓のＢ−Ｂ線水平断面図である。
【図５】図１に示す上げ下げ窓のＣ−Ｃ線断面のロック機構と縦枠の部分拡大断面図である。
【図６】図５に示すロック機構におけるロック部材とラッチ部材の要部縦断面図である。
【図７】図５におけるロック機構のロック部材とラッチ部材を示す要部斜視図である。
【図８】図７に示すラッチ部材と本体部に設けたラッチ受け部を示す分解斜視図である。
【図９】ロック部材の先端部を示す図であり、（ａ）は斜視図、（ｂ）はロック受け部とのロック状態の平面図、（ｃ）は変形例を示す平面図である。
【図１０】下障子が半開状態である要部断面図である。
【図１１】下障子が全開状態である要部断面図である。
【図１２】従来の上げ下げ窓における下障子のロック部材を示す部分水平断面図であり、（ａ）はロック部材を閉鎖位置の凹溝にロックした状態を示す図、（ｂ）はロック部材をロックする途中工程で端部凸曲部がロック受け部に係合した段階を示す図である。
【図１３】下障子の本体部に設けたラッチ部材とロック部材を示す図であり、（ａ）は正面図、（ｂ）は平面図である。
【発明を実施するための形態】
【００１７】
以下、本発明の実施形態による建具としての上げ下げ窓１について添付図面によって説明する。
図１乃至図１１は本発明の実施形態による上げ下げ窓１を示すものである。
本実施形態による上げ下げ窓１は、図１に示すように建物の開口部に四角形枠状の枠体２と枠体２内に収められて密閉する上障子３及び下障子４とを備えている。枠体２は、上枠６、下枠７、左右の縦枠８，９からなっている。枠体２内の上障子３は固定障子として枠体２に固定保持され、下障子４は可動障子として上下方向に昇降可能で開閉可能である。
【００１８】
また、図２に示すように、左右の縦枠８，９内には上部にバランサー１１が設けられ、各バランサー１１から繰り出されるワイヤー１２の他端部は下障子４の下框２４の両端に設けた支持部材１３の支持部１３ａにそれぞれ係止されている。バランサー１１内にはワイヤー１２を巻き上げ方向に付勢する巻き上げばねが内蔵されており、下障子４の荷重とバランスして任意の高さ位置で下障子４を静止保持できる。
【００１９】
図３において、左右の縦枠８，９には下障子４の昇降をガイドするガイド溝１５が形成されている。ガイド溝１５は下枠７の部分から枠体２の屋内側に向けて傾斜して上方に延びる傾斜溝１５ａと上障子３と略平行に上枠６方向に延びる直線溝１５ｂとを有している。傾斜溝１５ａの水平面に対する傾斜角θは適宜設定できるが、２５°から４５°の範囲に設定することが好ましい。
そして、上障子３と下障子４は閉鎖状態で枠体２内に略同一平面状に保持されて高い気密性と良好な意匠性を有しており、開口時には下障子４を傾斜させて左右の縦枠８，９のガイド溝１５に沿って上昇させることで開口することができる。
【００２０】
図１乃至図３において、上障子３は上框１７、下框１８、左右の縦框１９，２０によって四角形状に形成され、内部にパネルとして複層ガラス、例えばトリプルガラス２１が収納され、上障子３は枠体２に固定されている。同様に下障子４も上框２３、下框２４、左右の縦框２５，２６によって四角形状に形成され、内部にパネルとして複層ガラス、例えばトリプルガラス２７が収納されている。
なお、上障子３と下障子４はパネルとしてトリプルガラス２１に代えてぺアガラスや他の複層ガラスや単層ガラス等を収納していてもよい。
【００２１】
そして、下障子４において、上框２３にはその屋内側に下障子４を傾斜させる際に把持するための引手部３０が設けられている。引手部３０は例えば樹脂製であり、上障子３の下框１８と下障子４の上框２３と両者の隙間２２を覆うように縦方向と横方向に密閉された断面筒状の複数のホロー部が積層されて形成され、一部のホロー部は隙間２２内に配設されている。これによって断熱性を向上させている。図３において、上げ下げ窓１の屋内側に樹脂製の引手部３０を配設して外観の意匠性を向上させ、金属上框３４を屋外側に寄せて断熱性を高めている。
【００２２】
また、下障子４の上框２３には、トリプルガラス２７を保持するグレージングチャンネル３２と引手部３０との間に上部補強金具３３が取り付けられてグレージングチャンネル３２を覆っている。上部補強金具３３は例えばスチール製等であり、屋内側の一端部から屋外側の他端部まで例えば階段状に形成されており、屋内側の一端部はグレージングチャンネル３２を覆って引手部３０の凹部に嵌合され、屋外側の他端部は金属上框３４の凹部に嵌合して固定されている。
【００２３】
次に図３に示す下障子４の下框２４において、トリプルガラス２７を保持するグレージングチャンネル３２は下部補強金具３６によって覆われており、その下側には樹脂下框３７が取り付けられている。下部補強金具３６は例えばスチール等であり、屋内側の一端部から屋外側の他端部まで例えば階段状に形成されており、屋内側の一端部はグレージングチャンネル３２を覆って樹脂下框３７の凹部に嵌合され、屋外側の他端部は金属下框３８の凹部に嵌合して固定されている。
また、下部補強金具３６は上部補強金具３３と略対称に形成されていてそれぞれグレージングチャンネル３２を介してトリプルガラス２７を上下に挟持する構成を有している。
しかも、上框２３と下框２４に引手部３０と樹脂下框３７をそれぞれ設置すると共に、金属上框３４と金属下框３８を屋外側に寄せて断熱性を高めたことによる下障子４の強度低下を両補強金具３３、３６で補強している。
【００２４】
また、下障子４に設けた樹脂下框３７はグレージングチャンネル３２の下部から下部補強金具３６を覆って屋内側に延びており、その屋内側端部には突出部として引手片３７ａが突出している。グレージングチャンネル３２の下部には樹脂下框３７に係合する金属下框３８が屋外側に延びて下部補強金具３６の他端部を嵌合すると共にその下方には支持部材１３が係合されている。支持部材１３は下部補強金具３６にねじ固定されている。
【００２５】
また、下障子４の下框２４と下枠７との間には下障子４と支持部材１３が回動して傾斜し昇降することを許容するための空間４２が形成されており、この空間４２はガイド溝１５の傾斜溝１５ａに沿った屋内側に開口４２ａを有している。そして、樹脂下框３７の引手片３７ａが開口４２ａに突出して開口を狭めている。
また、開口４２ａを形成する下枠７には例えばアルミ製の金属下枠４４が形成され、金属下枠４４の屋外側端部に固定されたパッキン４５に閉鎖状態の下障子４の金属下框３８が当接して密閉している。
【００２６】
図３及び図４において、下障子４はガイド溝１５内に支持部材１３を保持させてガイド溝１５に沿って昇降可能であり、支持部材１３が直線溝１５ｂに移動した時点で上障子３と略平行に昇降可能であり、全開位置でストッパー４７に当接する。
図４において、下障子４の縦框２５，２６にはそれぞれグレージングチャンネル３２を覆う金属縦框４９に樹脂縦框５０が連結されている。各樹脂縦框５０の縦枠８，９側には例えばモヘア等のシール材５１が上下方向に取り付けられている。
縦框２５，２６に対向する縦枠８，９には金属縦枠５２の内側に樹脂縦枠５３が連結され、樹脂縦枠５３は断面筒状のホロー部５３ａが縦方向と横方向にそれぞれ複数形成されている。各金属縦枠５２の屋外側に固定されたパッキン４６には閉鎖位置にある下障子４の金属縦框４９が当接して気密に密閉している。
【００２７】
図５は下障子４に設けた左右のロック装置５５の一方を代表して示すものである。下障子４の上框２３内の左右の側部にそれぞれ設けたロック装置５５は、上框２３の本体部５６に例えば金属製のラッチ部材５７とロック部材５８が縦枠８、９の凹溝６０方向にそれぞれ進退可能に配設されている。なお、本明細書において、ラッチ部材５７やロック部材５８が凹溝６０内に進む方向を前進または前方とし、反対側に退く方向を後退または後方というものとする。
ラッチ部材５７は、下障子４における上框２３の見付け方向（幅方向）の両側部に設けられ、後述するコイルばね６６の弾性によって前方（外側）に付勢されて突出する。そして、下障子４を引手部３０で屋内側に傾斜させて、ラッチ部材５７をガイド溝１５の直線溝１５ｂに嵌合可能としている。
下障子４を開閉する場合にはラッチ部材５７と支持部材１３が嵌合するガイド溝１５をガイドとして昇降可能とされている。また、上げ下げ窓１の清掃状態では、ラッチ部材５７がガイド溝１５を外れて更に屋内側に傾斜して保持されることになる。
【００２８】
各ラッチ部材５７は、図５〜図８に示すように、長板状のラッチ芯金６１とその上部に一体形成された略長板状のラッチ板６２とを備えている。ラッチ板６２の先端側(前方)に凹溝６０やガイド溝１５に係脱可能な拡幅したラッチ部６２ａを形成している。図５において、ラッチ部６２ａの先端面は最も突出する中央の平面部６２ｂとその両側で円弧状の凸曲面を呈して後退しつつ外側に拡幅する曲面部６２ｃと両側の端部６２ｄとで形成されている。
特に本実施形態では、曲面部６２ｃの曲率半径を従来技術より大きい例えば７ｍｍまたはそれ以上に設定して丸みを大きく滑らかに形成した。これによって、ラッチ部６２ａが凹溝６０やガイド溝１５に係脱する際に移動が滑らかであり、縦枠８，９の枠部と衝突することによる衝突音を低減させることができる。
図８において、ラッチ部材５７のラッチ板６２の裏側に上長溝６２ｅが形成され、ラッチ板６２の内側に係止させたラッチ芯金６１には上下に貫通する中長溝６１ａが形成されている。ラッチ部材５７におけるラッチ芯金６１の中長溝６１ａの先端面６１ｂには突片６１ｃが形成され、後端部にはラッチ板６２とラッチ芯金６１に開口が形成されている。
【００２９】
一方、ラッチ部材５７を摺動可能に支持する本体部５６の上面には、ラッチ芯金６１の両側部を摺動可能に保持する断面略コの字溝状を呈する一対のラッチ受け部６４が形成されている（図６、７参照）。ラッチ受け部６４の先端側には、ラッチ板６２のラッチ部６２ａが凹溝６０側に突出している。ラッチ受け部６４の間にはラッチ板６２の上長溝６２ｅとラッチ芯金６１の中長溝６１ａに対向して下長溝５６ａが形成され、その間に弾性部材をなすコイルばね６６が配設されている。また、下長溝５６ａの後端部には後端面５６ｂが形成されている。
そのため、コイルばね６６は上長溝６２ｅ、中長溝６１ａ、下長溝５６ａ間に配設されている。コイルばね６６の一端部は本体部５６に形成した下長溝５６ａの後端面５６ｂに固定され、他端部はラッチ芯金６１に形成した突片６１ｃに係止されている。これによって、ラッチ部材５７はコイルばね６６の付勢力によって縦枠８，９の凹溝６０やガイド溝１５方向に進出してラッチ部６２ａが係脱可能とされている。
【００３０】
また、図８に示すラッチ板６２の裏面において、上長溝６１ｅの先端面６１ｂと反対側の後端部両側に略爪状に屈曲または湾曲する一対の突部６７が突出している。この凸部６７は弾性を有している。これによってラッチ部材５７のラッチ芯金６１はラッチ受け部６４の上側内面に当接し、従来技術における遊びのわずかな隙間ｔがなくなる。そのため、ラッチ部材５７が縦枠８，９の凹溝６０やガイド溝１５に係脱する際にラッチ部材５７が遊びによってラッチ受け部６４に衝突して異音が発生すること等がない。
尚、図８に示すように、ラッチ板６２に設けた突部６７に代えて、本体部５６における下長溝５６ａの両側に突部６７を設けてもよい。これによってもラッチ部材５７をラッチ受け部６４の上側内面に当接することができる。
【００３１】
また、図５，６，７に示す本体部５６において、ラッチ部材５７の下方には棒状のロック部材５８が摺動可能に取り付けられている。図６に示すように、ロック部材５８は板状の鋼材を金型を用いたプレス加工等で断面略コの字状をなすように折り曲げたものであり、本体部５６の下面に開口するように断面略Ｌ字状に形成された挿通溝６９に部分的に嵌挿されている。
本実施形態によるロック部材５８は略コの字状の断面形状が短片部５８ａと底部５８ｂと本体部５６の外側に突出する長片部５８ｃとで概略構成されており、短片部５８ａの両側部と底部５８ｂの一部両側面とで挿通溝６９に当接している。そして、短片部５８ａの端面が挿通溝６９の最奥部６９ａと非接触である上に長片部５８ｃの端面部分が下障子４の框部に当接していない点で、上述した従来技術と相違している。これによって従来技術と比較してロック部材５８の摺動をよりスムーズに行うことができる。
【００３２】
また、ロック部材５８は下障子４の上框２３の屋内側に設けた操作部７１に連結されており、操作部７１の進退によって凹溝６０に進退して係脱可能とされている。縦枠８，９の凹溝６０内には、例えば略フック状のロック受け部７０が形成され、凹溝６０内に進出したロック部材５８における底部５８ｂの側面５８ｄとフック状の先端部で係合して下障子４を閉鎖状態でロック(施錠)する。ロック状態において、ロック受け部７０はフック状の先端部でロック部材５８の側面５８ｄに当接することで弾性的に側面５８ｄを押圧する。
なお、ロック部材５８を凹溝６０から外すとロック受け部７０から外れてアンロック(解錠)状態になり、下障子４を傾斜させることでラッチ部材５７のラッチ部６２ａがガイド溝１５に係合可能になる。
【００３３】
次に、ロック部材５８の先端面の形状について図９（ａ）、（ｂ）により説明する。
ロック部材５８は上述のように板状の鋼材を断面略コの字状に折り曲げて形成して強度を高めており、平面視で先端部は中央凸曲部７２ａとその一方の端部である底部５８ｂに形成した端部凸曲部７２ｂとを有している。特に凹溝６０のロック受け部７０が摺動可能な端部凸曲部７２ｂは底部５８ｂの板厚部分で形成されており、金型によるプレス加工で形成することで、この端部凸曲部７２ｂを断面円弧状に形成した。
これによって端部凸曲部７２ｂに角部が形成されず円弧状の曲面を形成するため、ロック受け部７０のフック状の先端部をこすりながらスムーズに摺動してロック部材５８の(底部５８ｂの)側面５８ｄに係合することができる。
なお、図９（ａ）において、ロック部材５８の先端部における短片部５８ａと底部５８ｂと長片部５８ｃとの各折り曲げ部に折り曲げを容易にするスリット溝５９を形成してもよい。
【００３４】
本実施形態による上げ下げ窓１は上述の構成を備えており、次にその作用を説明する。
図１及び図３に示すように下障子４が閉鎖状態にある場合には、枠体２内で上障子３と下障子４が同一面状に設置されて気密性を保持している。しかも下障子４の上框２３の両側に設けた各ロック装置５５のロック部材５８は縦枠８，９の凹溝６０内に進出して略フック状のロック受け部７０と側面５８ｄで係合してロック(施錠)している。また、ラッチ部材５７はコイルばね６６の付勢力によってラッチ部６２ａが凹溝６０に係合している。
この状態から、下障子４を開口作動するには、上框２３の両側に設けた各ロック装置５５の操作部７１をスライドさせてロック部材５８を縦枠８，９の各凹溝６０から外し、下障子４の引手部３０を操作者が把持して屋内側に引く。
【００３５】
すると、下障子４は、ラッチ部材５７のラッチ部６２ａが凹溝６０を仕切る縦枠８，９を押してコイルばね６６の付勢力に抗して凹溝６０から外れ、ラッチ部材５７はラッチ受け部６４に沿って後退する。そして、下障子４は下端の支持部材１３を中心に見込み方向屋内側に回動し、ガイド溝１５の直線溝１５ｂに対向する位置でラッチ部材５７がコイルばね６６の付勢力によって前進して直線溝１５ｂに係合する。この状態で図１０に示すように、下障子４は傾斜状態に保持され、半開状態になる。
下障子４の傾斜時に、ラッチ部材５７のラッチ部６２ａが回動して凹溝６０やガイド溝１５を仕切る縦枠８，９に係脱しても、ラッチ部材５７は突部６７によってラッチ受け部６４に当接しているために遊びがなく、ガチャガチャと異音が発生することはない。しかも、ラッチ部６２ａが凹溝６０やガイド溝１５に係脱する際に、ラッチ部６２ａは中央の平面部６２ｂの両側に丸みの大きい曲面部６２ｃを有するため、凹溝６０やガイド溝１５に係合したり離脱したりするときに滑らかに移動して乗り越えることができて、衝突音を低減できる。
【００３６】
そして、操作者が引手部３０や引手片３７ａを手で持ち上げて下障子４をガイド溝１５に沿って上昇させると、下障子４は下框２４に固定した支持部材１３とラッチ部材５７とがガイド溝１５の傾斜溝１５ａと直線溝１５ｂに沿って上昇し、図１１に示すように、上障子３と平行に保持された全開位置に至る。
なお、下障子４は、支持部材１３を引き上げるワイヤー１２の上端を連結したバランサー１１内の巻き上げばねの付勢力によって任意の開口位置で停止する。
【００３７】
次に全開状態の下障子４を閉鎖させるには、下障子４がガイド溝１５の直線溝１５ｂで上障子３と平行に保持された位置から、操作者が引手部３０や引手片３７ａを把持してガイド溝１５に沿って下障子４を降下させる。
そして、下障子４は支持部材１３が傾斜溝１５ａの下端に到達して傾斜状態となった半開状態に至る。次いで、支持部材１３を支点として下障子４を見込み方向屋外側、即ち上障子３の方向に回動させることでラッチ部材５７をコイルばね６６の付勢力に抗してガイド溝１５から後退させて外し、その屋外側に設けた縦枠８，９の凹溝６０にコイルばね６６の付勢力でラッチ部材５７のラッチ部６２ａを係合させる。
【００３８】
そして、操作部７１をスライド操作してロック部材５８を前進させて凹溝６０内に侵入させる。すると、図５及び図９（ｂ）に示すように、ロック部材５８の先端部の中央凸曲部７２ａが凹溝６０内のフック状のロック受け部７０を押圧して変形させながら乗り越える。次に、ロック部材５８の端部凸曲部７２ｂにロック受け部７０が当接するが、端部凸曲部７２ｂも凸曲面状に形成されているためにクリック感は得られない。そして、下枠７、縦枠８，９に設けたパッキン４５、４６を下障子４の下框２４、縦框２５，２６で押圧する状態で、ロック部材５８の端部凸曲部７２ｂがロック受け部７０を弾性変形させて乗り越えて側面５８ｄに当接させて気密のロック(施錠)状態になる。
こうして、下障子４は図３に示す上障子３と平面状に重なった閉鎖位置に至る。
【００３９】
上述のように本実施形態による上げ下げ窓１によれば、ラッチ部材５７は突部６７によってラッチ受け部６４に押し付けられて摺動可能に支持し遊びがないため、下障子４の閉鎖位置と半開位置との間の回動時にラッチ部材５７がカチャカチャと異音を発することはない。しかも、ラッチ部６２ａが凹溝６０とガイド溝１５との間を移動する際に、ラッチ部６２ａは中央の平面部６２ｂの両側に半径の大きい曲面部６２ｃを有するため、凹溝６０やガイド溝１５を係脱するときに滑らかに移動して乗り越えることができて衝突音を低減できる。そのため、下障子４の操作性が向上する。
また、ロック部材５８は先端面が中央凸曲部７２ａと肉厚部の端部凸曲部７２ｂを有するためフック状のロック受け部７０を弾性変形させて乗り越える際に、下枠７、縦枠８，９に設けたパッキン４５、４６を圧縮した状態でスムーズにロック位置に移動させることができる。しかもロック部材５８がロック受け部７０を乗り越える際に、中央凸曲部７２ａと端部凸曲部７２ｂの間でクリック感が生じないため、下障子４でパッキン４５、４６を押圧した気密状態の閉鎖位置でロックできる。
【００４０】
なお、本発明による上げ下げ窓１は、上述した実施形態に限定されるものではなく、本発明の要旨を逸脱しない範囲で適宜の変更や置換等が可能である。
例えば上述した実施形態では、ロック部材５８はロック受け部７０を乗り越える際に図９（ａ）、（ｂ）に示すように中央凸曲部７２ａと端部凸曲部７２ｂからなる二段の曲面を設けたが、本発明はこのような構成に限定されない。
例えば、図９（ｃ）に示すように１つの凸曲部７４で形成してもよい。この場合には、１つの金型でプレス加工することで肉厚部の底部５８ｂも短片部５８ａ及び長片部５８ｃと一体に略円弧状の凸曲部７４を形成できる。この場合には、ロック工程の途中で一層確実に段差によるクリック感を操作者に感じさせることはないので、よりスムーズ且つ確実にロック操作を行える。
【００４１】
また、上述した実施形態では、スライド可能なラッチ部材５７の裏面に突部６７を設けてラッチ部材５７をラッチ受け部６４に当接させて遊びをなくすようにしたが、本発明はこの構成に限定されない。例えば、上述したようにラッチ部材５７のラッチ板６２に設けた突部６７に代えて、本体部５６における下長溝５６ａの両側に突部６７を設けてもよい。また、突部６７はラッチ芯金６１に設けてもよいし、或いは、ラッチ受け部６４の上下いずれか一方の面に突部６７を設けてラッチ部材５７をラッチ受け部６４の一方または他方の面に押圧させてもよい。
なお、突部６７は金属または樹脂のいずれで形成してもよい。
【００４２】
また、本発明による建具としての上げ下げ窓１は、枠体２内の上障子３を固定障子とし、下障子４を可動障子としたが、これとは逆に枠体２と共に固定障子を下側に可動障子を上側に配置して上下方向を逆にして設定してもよいし、或いは横方向に固定障子と可動障子を配列してもよい。
また、本発明の建具は上げ下げ窓１に限定されることなく、ラッチ部材５７、更にはロック部材５８等を備えた各種の窓やドア等にも適用できる。
【符号の説明】
【００４３】
１  上げ下げ窓
２  枠体
４  下障子
７  下枠
８，９  縦枠
１５  ガイド溝
２３  上框
３０  引手部
５５  ロック装置
５６  本体部
５７  ラッチ部材
５８  ロック部材
５８ｄ  側面
６０  凹溝
６１  ラッチ芯金
６４  ラッチ受け部
６６  コイルばね
６７  突部
７０  ロック受け部
７２ａ  中央凸曲部
７２ｂ  端部凸曲部
７４  凸曲部
【図１】
2019108796.tif 000003
【図２】
2019108796.tif 000004
【図３】
2019108796.tif 000005
【図４】
2019108796.tif 000006
【図５】
2019108796.tif 000007
【図６】
2019108796.tif 000008
【図７】
2019108796.tif 000009
【図８】
2019108796.tif 000010
【図９】
2019108796.tif 000011
【図１０】
2019108796.tif 000012
【図１１】
2019108796.tif 000013
【図１２】
2019108796.tif 000014
【図１３】
2019108796.tif 000015
【手続補正書】
【提出日】平成31年4月5日(2019.4.5)
【手続補正１】
【補正対象書類名】特許請求の範囲
【補正対象項目名】全文
【補正方法】変更
【補正の内容】
【特許請求の範囲】
【請求項１】
上下枠と縦枠とを枠組みして開口部を形成してなる枠体と、
前記開口部内に縦枠に沿って設けた上障子及び下障子と、を備え、
前記下障子の上框には見込み方向に樹脂製である複数の中空部が積層されていることを特徴とする建具。
【請求項２】
前記下障子の上框は金属框と樹脂框からなる請求項１に記載された建具。
【手続補正２】
【補正対象書類名】明細書
【補正対象項目名】００１１
【補正方法】変更
【補正の内容】
【００１１】
本発明による建具は、上下枠と縦枠とを枠組みして開口部を形成してなる枠体と、前記開口部内に縦枠に沿って設けた上障子及び下障子と、を備え、前記下障子の上框には見込み方向に樹脂製である複数の中空部が積層されていることを特徴とする。
【手続補正３】
【補正対象書類名】明細書
【補正対象項目名】００１２
【補正方法】変更
【補正の内容】
【００１２】
また、前記下障子の上框は金属框と樹脂框からなることが好ましい。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】